(57)【要約】【課題】  安全且つ効率よく風力を利用した風力発電を可能とする風車カバーを提供する。【解決手段】  風車カバー１０の本体に、風車カバーの向きを風に対して一定方向に整え・風を効率よく流すための突起部１６、テールフィン１２及びセンターフィン１４を設ける。風車カバーの本体の側面には、回転軸回りに複数の羽を備えた風車を収納するための風車収納部１７，１８を設け、風車収納部１７，１８の風車カバーの本体正面側に沿って複数のガイド突起部１５を設け、風車収納部内に風車の回転軸の一部又は全部が収納されるように形成する。これらの構成により、風力を効率よく利用した発電を行い、安全性を確保する。【選択図】      図１
0003126051.tif 000002
【実用新案登録請求の範囲】
【請求項１】
風力発電装置等に用いる風車カバーであって、
該風車カバーには、回転軸回りに複数の羽根を備えた風車を収納するための風車収納部が設けられ、該風車収納部内に風車の回転軸の一部又は全部が収納されるように形成されたことを特徴とする風車カバー。
【請求項２】
風力発電装置等に用いられる、風が吹くと回動し方向を変えるための回動部を有する風車カバーであって、
該風車カバーには、回転軸回りに複数の羽根を備えた風車を収納するための風車収納部が、該風車カバーの本体の対向する位置に設けられると共に、該風車収納部内に風車の回転軸の一部又は全部が収納されるように形成されたことを特徴とする風車カバー。
【請求項３】
風力発電装置等に用いられる、風が吹くと回動し方向を変えるための回動部を有する風車カバーであって、
該風車カバーの本体の正面部及び背面部には、風を受けた際に風車カバーの向きを風に対して一定方向に整えるための突起部及びテールフィンが夫々設けられ、
該風車カバーの本体の上部にはセンターフィンが設けられ、
該風車カバーの本体の側面には、回転軸回りに複数の羽根を備えた風車を収納するための風車収納部が該風車カバー本体の左右の対向する位置に設けられると共に該風車収納部に沿って複数のガイド突起部が設けられ、該風車収納部は、風車の回転軸の一部又は全部が収納されるように形成されたことを特徴とする風車カバー。
【請求項４】
風力発電装置等に用いられる、風が吹くと回動し方向を変えるための回動部を有する風車カバーであって、
該風車カバーの本体の正面部及び背面部には、風を受けた際に風車カバーの向きを風に対して一定方向に整えるための突起部及びテールフィンが夫々設けられ、
該風車カバーの本体の上部にはセンターフィンが設けられ、
該風車カバーの本体の側面には、回転軸回りに複数の羽根を備えた風車を収納するための風車収納部が該風車カバー本体の左右の対向する位置に複数対設けられると共に該風車収納部の風車カバーの本体正面側に沿って複数のガイド突起部が設けられ、該風車収納部は、風車の回転軸の一部又は全部が収納されるように形成されたことを特徴とする風車カバー。
【考案の詳細な説明】
【技術分野】
【０００１】
本考案は、風力発電装置に関するものであり、特に風力発電に使用される風車をカバーする風車カバーに関するものである。
【背景技術】
【０００２】
従来から風車には、風車の回転軸が風の吹く方向と平行に配設される水平軸型風車と、風車の回転軸が地面に対し垂直に配設される垂直軸型風車がある。風力発電装置においては、このうち発電効率が最も良い水平軸型風車の一種であるプロペラ型風車が最も多く風力発電に使用されており、プロペラ形状の風車部分は剥き出し状態となっている。
一方、種々の形状からなる羽根を有する風車を利用した垂直軸型風車も多数存在するが、風車部分はやはり剥き出しの状態となっている（特許文献１）。
【０００３】
ところで、これらのような従来の風力発電装置にあっては、風車部分の大部分が剥き出しの状態であるため、発電中に鳥が風車部分に接触し風車部分が破損したり、これらに子供等がふれ怪我をする危険性が高かった。
【特許文献１】特開２００６−２９２２６号公報
【考案の開示】
【考案が解決しようとする課題】
【０００４】
しかし、風力発電装置における風車部分は、風を受け回転する重要な部分であるため、安全性のためとはいえ、カバーで全て覆うことはできないのが現状である。
【０００５】
本考案は、上記従来の問題点に着目してなされたものであり、発電中に鳥が風車部分に接触し風車部分が破損したり、風車部分に子供等がふれ怪我をする危険性を減らすこと、及び風車が効率良く風を受けることを同時に達成することをその主な目的とする。
【課題を解決するための手段】
【０００６】
請求項１に記載の本考案に係る風車カバーは、風力発電装置等に用いる風車カバーであって、該風車カバーには、回転軸回りに複数の羽根を備えた風車を収納するための風車収納部が設けられ、該風車収納部内に風車の回転軸の一部又は全部が収納されるように形成されたことを特徴とする。
【０００７】
請求項２に記載の本考案に係る風車カバーは、風力発電装置等に用いる風車カバーであって、該風車カバーには、回転軸回りに複数の羽根を備えた風車を収納するための風車収納部が、該風車カバーの本体の対向する位置に設けられると共に、該風車収納部内に風車の回転軸の一部又は全部が収納されるように形成されたことを特徴とする風車カバー。
【０００８】
請求項３に記載の本考案に係る風車カバーは、風力発電装置等に用いられる、風が吹くと回動し方向を変えるための回動部を有する風車カバーであって、該風車カバーの本体の正面部及び背面部には、風を受けた際に風車カバーの向きを風に対して一定方向に整えるための突起部及びテールフィンが夫々設けられ、該風車カバーの本体の上部にはセンターフィンが設けられ、該風車カバーの本体の側面には、回転軸回りに複数の羽根を備えた風車を収納するための風車収納部が該風車カバー本体の左右の対向する位置に設けられると共に該風車収納部に沿って複数のガイド突起部が設けられ、該風車収納部は、風車の回転軸の一部又は全部が収納されるように形成されたことを特徴とする。
【０００９】
請求項４に記載の本考案に係る風車カバーは、風力発電装置等に用いられる、風が吹くと回動し方向を変えるための回動部を有する風車カバーであって、該風車カバーの本体の正面部及び背面部には、風を受けた際に風車カバーの向きを風に対して一定方向に整えるための突起部及びテールフィンが夫々設けられ、該風車カバーの本体の上部にはセンターフィンが設けられ、該風車カバーの本体の側面には、回転軸回りに複数の羽根を備えた風車を収納するための風車収納部が該風車カバー本体の左右の対向する位置に複数対設けられると共に該風車収納部の風車カバーの本体正面側に沿って複数のガイド突起部が設けられ、該風車収納部は、風車の回転軸の一部又は全部が収納されるように形成されたことを特徴とする。
【考案の効果】
【００１０】
請求項１に記載の本考案によれば、風車カバーには、回転軸回りに複数の羽根を備えた風車を収納するための風車収納部が設けられ、該風車収納部内に風車の回転軸の一部又は全部が収納されるように形成されている。従って、回転に必要な風を受ける風車の羽根部分のみが風車カバーから露出し、その他の部分は露出していない状態となるので、発電中に鳥が風車に接触し風車が破損したり、風車に子供等がふれ怪我をする危険性を減らすことが可能となった。
【００１１】
請求項２に記載の本考案によれば、該風車カバーには、回転軸回りに複数の羽根を備えた風車を収納するための風車収納部が、該風車カバーの本体の対向する位置に設けられると共に、該風車収納部内に風車の回転軸の一部又は全部が収納されるように形成されている。従って、回転に必要な風を受ける風車の羽根部分のみが風車カバーから露出し、その他の部分は露出していない状態となるので、発電中に鳥が風車に接触し風車が破損したり、風車に子供等がふれ怪我をする危険性を減らすことが可能となると共に、複数の風車で発電を行うことが可能となった。
【００１２】
請求項３に記載の本考案によれば、該風車カバーの本体の正面部及び背面部には、風を受けた際に風車カバーの向きを風に対して一定方向に整えるための突起部及びテールフィンが夫々設けられ、該風車カバーの本体の上部にはセンターフィンが設けられ、該風車カバーの本体の側面には、回転軸回りに複数の羽根を備えた風車を収納するための風車収納部が該風車カバー本体の左右の対向する位置に設けられると共に該風車収納部に沿って複数のガイド突起部が設けられ、該風車収納部は、風車の回転軸の一部又は全部が収納されるように形成されている。従って、上記請求項１及び２に記載の本考案と同様の効果が生ずると共に、該風車収納部に沿って複数のガイド突起部が設けられたので風車が効率良く風を受けることも可能となった。また、風車の後方に抜ける風はテールフィンに沿って流れるため、風が抜け易く、風車、風車カバーに影響を与えにくくなった。
【００１３】
請求項４に記載の本考案によれば、該風車カバーの本体の正面部及び背面部には、風を受けた際に風車カバーの向きを風に対して一定方向に整えるための突起部及びテールフィンが夫々設けられ、該風車カバーの本体の上部にはセンターフィンが設けられ、該風車カバーの本体の側面には、回転軸回りに複数の羽を備えた風車を収納するための風車収納部が該風車カバー本体の左右の対向する位置に複数対設けられると共に該風車収納部の風車カバーの本体正面側に沿って複数のガイド突起部が設けられ、該風車収納部は、風車の回転軸の一部又は全部が収納されるように形成されている。従って、上記請求項１乃至３に記載の本考案と同様の効果が生ずると共に、風車収納部が複数対設けられるため、更に発電力が増すこととなる。
【考案を実施するための最良の形態】
【００１４】
以下に、本考案である風車カバーの実施形態を図１乃至図７に基づいて説明する。
【００１５】
図１乃至図５は、第１の実施例に係る風車カバーを示す図であり、図６及び図７は、第２の実施例に係る風車カバーを示す図である。
図１は、第１の実施例に係る風車カバーの右側面図である。図２は、第１の実施例に係る風車カバーの正面図である。図３は、第１の実施例に係る風車カバーの上方から見た平面図である。図４は、第１の実施例に係る風車カバーのＡ−Ａ断面図である。図５は、第１の実施例に係る風車カバーのＢ−Ｂ断面図である。図６は、第２の実施例に係る風車カバーの正面図である。図７は、第２の実施例に係る風車カバーが壁面に取り付けられた状態の左側面図である。図１乃至図７中、１は風車カバー、１０は風車カバー本体、１０ａは風車カバー本体上部、１０ｂは風車カバー本体中部、１０ｃは風車カバー本体下部、１１は風車、１１ａは羽根部、１１ｂは風車の回転軸、１１ｃは羽根谷部、１１ｄは羽根山部、１２及び１３は右側及び左側テールフィン、１２ａは突条部、１２ｂは頂点部、１２ｃは谷部、１４はセンターフィン、１４ａは突条部、１４ｂは頂点部、１５はガイド突起部、１６突起部、１７及び１８は右側及び左側風車収納部、２０は風車カバー基部、３０は回動部、４０は発電機、１００は風車カバー、１１０は風車カバー本体、１２０は風車収納部、１３０は風車、１３０ａは羽根部、１３０ｂは風車の回転軸、１３０ｃは羽根山部、１３０ｄは羽根谷部、１４０はガイド突起部、１５０は発電機である。
【００１６】
第１の実施例に係る風車カバー１は、風車カバー本体１０、基部２０、回動部３０とから構成される。風車カバー本体１０は、上部１０ａ、中部１０ｂ、下部１０ｃからなり、上部１０ａに設けられたセンターフィン１４、中部１０ｂに設けられた左右２つの風車１１、左右のテールフィン１２，１３、複数のガイド突起部１５、突起部１６、左右の風車収納部１７，１８とから構成される。風車１１，１１は、風車収納部１７，１８内に備え付けられている。風車１１，１１は、回転軸１１ｂ，１１ｂの軸回りに４枚の羽根部１１ａが設けられており、該羽根部１１ａは軸の長手方向に沿って羽根山部１１ｄ及び羽根谷部１１ｃを形成する波形状をした平板状に形成されている。４枚の羽根部１１ａは夫々等間隔に回転軸１１ｂ，１１ｂ回りに配されている。風車１１，１１を波形状に形成したのは、以下に説明する複数のガイド突起部１５を設けたので、ガイド突起部の間に抜ける風を羽根部１１ａで効率よく受け、羽根の回転率を挙げるためである。羽根部１１ａのガイド突起部１５に対応する位置は、羽根谷部１１ｃとなっている。
【００１７】
回転軸１１ｂ，１１ｂは、風車収納部１７，１８内に設けられており、風車カバー本体１０の上部側及び下部側において回転可能に軸支されている。回転軸１１ｂ，１１ｂの図中下部側の端部には、発電機４０が設けられている。なお、図中には示されていないが、発電機４０は、バッテリに接続されており、発電機４０が発電した電気はこのバッテリに蓄電される。風車収納部１７，１８は、内部で風車１１が回転しても羽根部１１ａが内部に触れないように形成されている。その形状は、図中では半円柱形状に形成されているが、風車１１が回転できれば良いためその形状は特に問わない。
【００１８】
風車カバー本体１０は、平面略円形状に形成されているが（図３参照）、正面部側と背面部側に伸びた平面略楕円形状であってもよい。平面略楕円形状に形成した場合、図示しないが、風車収納部を風車カバー本体中部１０ａの両側面に夫々複数横に並列して設け、風車を夫々に設置するようにして、風車収納部を複数対形成するように構成することも可能である。複数の対の風車収納部を設けることにより、風車の数が増えるため発電力が増すこととなる。このように、風車カバー本体１０を平面略円形状又は楕円形状に形成するのは、風車カバー１の正面部側から来る風を流れやすくするためである。また、同様の効果を期待できることから、風車カバーは、平面略円形状又は楕円形状となる多角形状から形成されても良い。
【００１９】
また、風車カバー本体１０には、風車カバー本体中部１０ａを上下に長く構成し又は風車収納部を上下に短く構成し、風車収納部を上下二段、三段と複数設け、風車を夫々に設置するようにして、風車収納部を複数対形成するように構成することも可能である。
【００２０】
風車カバー本体中部１０ｂには、右側及び左側のテールフィン１２，１３がその先端を略同じ方向（図中背面部側）に向くように設けられている。この右側及び左側のテールフィン１２，１３の先端は、Ｗ字を横にした形状となっており、テールフィン１２，１３の頂点部１２ｂ，１２ｂ及び谷部１２ｃ，１２ｃ，１２ｃ，１２ｃから風車カバー本体１０に接する部分にかけて一直線状に断面略三角形状の突条部１２ａ，１２ａ，１２ａ，１２ａ，１２ａ，１２ａが形成されている。
【００２１】
風車カバー本体上部１０ａは、略円錐状に形成され、側面三角形状のセンターフィン１４がテールフィン１２，１３と略同じ方向（図中、背面部側）に向くように設けられている。センターフィン１４の頂点部１４ｂとセンターフィン１４が風車カバー本体１０に接する部分とにかけて一直線上に断面三角形状の突条部１４ａ，１４ａが２本設けられている。この突上部１４ａ，１４ａは、頂点部１４ｂに行くにしたがって小さくなるように形成されている。また、突条部は、センターフィン１４の右側及び左側の側面に設けられている。
【００２２】
風車カバー中部１０ｂの風車収納部１７，１８に沿って、風車カバー正面部側に適宜間隔をあけて楕円半球形状をしたガイド突起部１５が複数設けられている。このガイド突起部１５は、羽根谷部１１ｃに対応する位置に設けられると共に、風車収納部１７，１８の風車カバー上部側及び風車カバー下部側の夫々端側にも設けられている。
【００２３】
風車カバー本体中部１０ｂには、テールフィン１２，１３と対向する側（図中、正面部側）、即ち風が吹いてくる方向に向く位置に半球形状をした突起部１６が適宜位置に設けられている。
【００２４】
風車カバー本体下部１０ｃと基部２０の間には風車カバーが回動自在となる回動部３０が設けられている。基部２０は、図示しないが、支柱などを基部２０に挿入し、固定して使用され、支柱の内部又は外部の適宜個所には、発電機４０からバッテリへの配線が備え付けられる。
【００２５】
以上の構成からなる第１の実施例に係る風車カバー１を利用した場合の風車の動作を説明する。
一定方向から風が吹くと、風車カバー１０に設けられたテールフィン１２，１３、センターフィン１４及び突起部１６が風を受け、風が流れやすい形に風車カバー１０の向きが回動部３０が回転することにより変る。具体的には、突起部１６が風上に、テールフィン１２，１３及びセンターフィン１４が風下に向く状態となり、風が抜けやすい状態となる。すると、風車カバーの正面から来る風が風車カバー本体中部１０ｂの側面に沿って流れるように抜けることとなる。この風は、更に複数のガイド突起部１５の存在によりガイド突起部１５の間に集まることとなり、この強い風を風車の羽根部１１ａの特に羽根山部１１ｄ，１１ｄ，１１ｄ，１１ｄが受けるため、そのままの風で回転させるよりも、より強い回転力を得ることが可能となる。また、風車１を回転させた風はテールフィンに１２，１３沿って風車カバー後方へ抜ける。また、風車を回転させた風は、テールフィン１２，１３に沿って風車カバー１後方に抜ける。
【００２６】
第１の実施例によれば、風車カバー１には、回転に必要な風を受ける風車の羽根部分１１ａのみが風車カバー１から露出し、その他の部分は露出していない状態となるので、発電中に鳥が風車１１，１１に接触し風車１１，１１が破損したり、風車１１，１１に子供等がふれ怪我をする危険性が減少する。また、複数の風車で発電を行うため発電効率が良くなる。また、風車収納部１７，１８に沿って複数のガイド突起部１５が設けられたので風車１１，１１が効率良く風を受けることも可能となる。
【００２７】
第２の実施例に係る風車カバー１００は、建物の壁面などに設置される風車カバー本体１１０と風車カバー本体１１０に設けられた風車収納部１２０と５つのガイド突起部１４０から構成される。風車収納部１２０には、回転軸１３０ｂの軸回りに４枚の羽根部１３０ａが設けられた風車１３０が設置されている。該羽根部１３０ａは、回転軸１３０ｂの長手方向に沿って羽根山部１３０ｃ及び羽根谷部１３０ｄを形成する波形状をした平板状に形成されている。４枚の羽根部１３０ａは回転軸１３０ｂ回りに夫々等間隔に配されている。回転軸１３０ｂは、風車収納部１２０内に設けられている。風車収納部１２０は、内部で風車１３０が回転しても羽根部１３０ａが内部に触れないように形成されている。その形状は、図中では半円柱形状に形成されているが、風車１１が回転できれば良いため特にその形状は特に問わない。
【００２８】
第２の実施例に係る風車カバーは、図６及び図７に示すように、建物の壁面など一定方向から風が吹き抜ける場所に設置されるものである。
【００２９】
以上の構成からなる第２の実施例に係る風車カバー１００を利用した場合の風車の動作を説明する。
風が図６及び図７中の下方向から上方向に吹き抜ける場合、風が風車カバー本体１１０に沿って下方から上方に流れ、５つのガイド突起部１４０により風がガイド突起部１４０の間に集められ強く流れる。よって、ガイド突起部１４０の間を通った風が羽根部１３０ａの羽根山部１３０ｃに強くあたり、風車１３０が回転する。従って、そのままの風で回転させるよりも、より強い回転力を得ることが可能となる。
【００３０】
第２の実施例によれば、風車カバー１００には、回転に必要な風を受ける風車１３０の羽根部分１３０ａのみが風車カバー１００から露出し、その他の部分は露出していない状態となるので、発電中に鳥が風車に接触し風車が破損したりする危険性が減少する。また、風車収納部１２０に沿って複数のガイド突起部１４０が設けられたので風車１３０が効率良く風を受けることが可能となる。
【００３１】
なお、本考案は、実用新案登録の請求の範囲を逸脱しない範囲において設計変更することが可能であり、上記実施態様に限定されるものではない。
【図面の簡単な説明】
【００３２】
【図１】図１は、第１の実施例に係る風車カバーの右側面図である。
【図２】図２は、第１の実施例に係る風車カバーの正面図である。
【図３】図３は、第１の実施例に係る風車カバーの上方から見た平面図である。
【図４】図４は、第１の実施例に係る風車カバーのＡ−Ａ断面図である。
【図５】図５は、第１の実施例に係る風車カバーのＢ−Ｂ断面図である。
【図６】図６は、第２の実施例に係る風車カバーが壁面に取り付けられた状態の左側面図である。
【図７】図７は、第２の実施例に係る風車カバーの左側面図である。
【符号の説明】
【００３３】
１    風車カバー
１０    風車カバー本体
１０ａ    上部
１０ｂ    中部
１０ｃ    下部
１１    風車
１１ａ    羽根部
１１ｂ    回転軸
１１ｃ    羽根谷部
１１ｄ    羽根山部
１２    右側テールフィン
１３    左側テールフィン
１４    センターフィン
１５    ガイド突起部
１６    突起部
１７    右側風車収納部
１８    左側風車収納部
２０    基部
３０    回動部
４０    発電機
１００    風車カバー
１１０    風車カバー本体
１２０    風車収納部
１３０    風車
１３０ａ    羽根部
１３０ｂ    回転軸
１３０ｃ    羽根山部
１３０ｄ    羽根谷部
１４０    ガイド突起部
１５０    発電機
【図１】
0003126051.tif 000003
【図２】
0003126051.tif 000004
【図３】
0003126051.tif 000005
【図４】
0003126051.tif 000006
【図５】
0003126051.tif 000007
【図６】
0003126051.tif 000008
【図７】
0003126051.tif 000009